(57)【特許請求の範囲】
【請求項１】
注射用針を有する一つの注射器具のための容器であって、該容器は、
使用前および使用後の両方の状態の前記注射器具を収容するために、その中に形成された区画を有する本体であって、前記本体は、前記区画内で、その使用前の状態にある前記注射器具が、そこを通してアクセスされる第一の開口を画定しており、前記本体は、前記注射器具が、その使用後の状態でそこに導かれる第二の開口を画定している前記本体、
前記第一の開口を閉鎖するための蓋、および、
前記第二の開口に近接した保持具であって、前記保持具は、前記第二の開口を通して、その使用後の状態にある前記注射器具の前記区画内への挿入を許容し、前記注射器具が注射を施すために用いられた後に、前記容器内において使用後の状態にある前記注射器具を保持し、前記注射用針へのアクセスを防止するように形成されている、前記保持具、
を含むことを特徴とする容器。
【請求項２】
請求項１の容器であって、前記本体は、前記第三の開口を画定し、前記注射用針は、前記第三の開口に保持され、前記第三の開口を介してアクセス可能であり、前記注射器具の一部は、前記注射器具への前記注射用針の結合のために前記第三の開口へ挿入可能であることを特徴とする容器。
【請求項３】
請求項１の容器であって、前記本体は、第一直径を有する第一の部分と、第二直径を有する第二の部分を備える、第四の開口を画定しており、前記第二直径は、前記第一直径より小さく、前記第四の開口は、前記注射用針に備えられた針シールドを脱離可能にとらえるよう構成されていることを特徴とする容器。
【請求項４】
請求項１の容器であって、前記保持具は、前記第二の開口への前記注射器具の挿入による曲げに対して弾力性であることを特徴とする容器。
【請求項５】
請求項１の容器であって、前記保持具は、前記第二の開口を通した前記注射器具の充分な挿入で、前記注射器具の一部と係合するフラップを含むことを特徴とする容器。
【請求項６】
請求項１の容器であって、前記第一および第二の開口は、前記本体の対向側面に配置されていることを特徴とする容器。
【発明の詳細な説明】
【技術分野】
【０００１】
この発明は、注射用針を有する注射器具のための容器、より詳細には、使用前および後に、注射器具を収容するための容器に関する。
【背景技術】
【０００２】
注射を施す、医師または他の個人が、使用済みの医療用針で不注意に刺される、「針刺し」を巡って、懸案が存在する。針刺しは、エイズまたはＢ型肝炎のような疾病の感染を引き起こす。特に、使用後に、医療用針を覆って、医療用針へのアクセスを制限するために、種々のシールドが、先行技術において発展させられた。加えて、使用済みの針は、生体有害廃棄物と見なされ、適切に廃棄されねばならない。一般に、「針刺し損傷防止用コンテナ」と称される容器が提供されており、その中に、使用済みの針、および、他の生体有害物質が集められる。針刺し損傷防止用コンテナは、典型的には、使用された器具を受容し、収容するように形成された、汚物容器または郵便箱型の構造を有する。
【発明の概要】
【発明が解決しようとする課題】
【０００３】
主題発明に関し、注射用針を有する注射器具のための容器が提供される。
【課題を解決するための手段】
【０００４】
容器は、使用前および使用後の両方の状態の注射器具を収容するために、その中に形成された区画を有する本体を含む。本体は、その使用前の状態にある注射器具が、そこを通してアクセスされる第一の開口を画定し、注射器具が、その使用後の状態でそこに導かれる第二の開口を画定する。蓋が第一の開口を閉鎖するために備えられる。容器は、また、容器内において使用後の状態にある注射器具を保持するための、第二の開口に近接した保持具を含み、保持具は、注射器具が注射を施すために用いられた後に、注射用針へのアクセスを防止する。有利には、主題発明の容器は、使用前および後の、両方の注射器具を収容し、それにより、注射器具のための使用前包装体を提供するだけでなく、注射器具の使用後の針刺し損傷防止用コンテナを提供する。
【０００５】
これらの、および、他の発明の特徴は、以下の詳細な説明および添付の図面の検討により、よりよく理解される。
【図面の簡単な説明】
【０００６】
【図１】主題発明に従って形成された容器の前面図である。
【図２】図１の容器の断面図である。
【図３】主題発明に従って形成された容器の底面図である。
【図４】主題発明に従って形成された容器を用いて、注射器具に装着される注射用針を示す概略図である。
【図５】針シールドの除去のための付加的な開口を有する、主題発明に従って形成された容器の前面図である。
【図６】主題発明に従って形成された容器を用いて除去される針シールドの概略図である。
【図７】主題発明に従って形成された容器によって収容された使用後の注射器具を示す概略図である。
【図８】針刺し損傷防止用コンテナに廃棄される、主題発明に従って形成された容器を示す概略図である。
【発明を実施するための形態】
【０００７】
図面を参照すると、参照数字１０で大まかに指定された容器が、使用前および使用後の注射器具１２を収容することを目的として示される。注射器具１２は、人体または動物への薬剤の注入を意図された、シリンジまたはペン型注射器のような、医療用の注射器具である。注射用針１４は、注射器具１２と一緒の使用のために用意される。
【０００８】
容器１０は、使用前に注射器具１２を収容するように形成された区画１８を画定する本体１６を含む。第一開口２０が本体１６に画定され、それを通して、注射器具１２が使用前状態においてアクセスされる。好ましくは、蓋２２が、第一開口２０を閉鎖するために用意される。蓋２２は、リビングヒンジまたはピンヒンジであり得る、関節結合２４を介して、本体１６に取付けられることが好ましい。図２に示されるように、好ましい配置において、注射器具１２は、任意に、蓋２２内に収容される部分を備えて、全体的に、容器１０内、特に、区画１８内に入れられる。注射器具１２は、図４に示されるように、使用できるように完全に組み立てられた状態で、または、図２に示されるように、使用に先立って何らかの組み立てを必要とする、モジュール式または非組み立て状態で、容器１０内に配置され得る。
【０００９】
蓋２２は、注射器具１２へのアクセスを提供するため、例えば、関節結合２４の回りの回転などによって、本体１６から分離可能である。したがって、注射器具１２は、使用に先立ち、容器１０内で、包装され、輸送され、そして、貯蔵される。図２を参照すると、一つ以上のポート２６が、注射器具１２が容器１０内にある状態で、注射器具１２の包装または組み立てを容易にするために、蓋２２に形成される。非限定的な実施例として、図２を参照すると、注射器具１２は、ポート２６と整列された注射器具１２の一部分を備えて、容器１０内に、非組み立て状態で提供される。薬剤カートリッジ２８は、ポート２６を介して、注射器具１２が容器１０内にある状態で、注射器具１２に装着される。このことは、注射器具が包装されたままの状態で、注射器具に、薬剤カートリッジを装着することを可能にする。ポート蓋３０は、好ましくは、ポート２６を通常は閉鎖するように備えられる。ポート蓋３０は、好ましくは、蓋２２に、例えばリビングヒンジなどによって結合されるか、または、つなげられた、スナップで取付けられるタブのような、どんな開放可能な保持構造であってもよい。
【００１０】
注射器具１２が、一度容器１０から取除かれると、蓋２２が本体１６に錠止されることが好ましい。当業者によって理解されるように、錠止配置のどんな構造も使用される。図１を参照すると、非限定的な実施例において、協働するタブ３２と凹所３４が用いられ、タブ３２は、例えば、スナップ係合を介するように、凹所３４内に受け入れられて錠止となる。
【００１１】
注射器具１２が使用される（すなわち、注射用針１４が、注射を施すために、注射器具１２と共に使用される。）と、容器１０が、使用後の状態にある、注射用針１４を有する、注射器具１２の少なくとも一部を収容するために用いられる。図３を参照すると、使用後に、注射器具１２を受け入れるように形作られた、第二開口３６が、本体１６に形成される。好ましい配置において、本体１６は、その第一端部３８に画定されている第一開口２０を備えて、一般的に、カップ形状である。第二開口３６は、第一端部３８と対向して、本体１６の第二端部４０に形成されるのが好ましい。
【００１２】
第二開口３６は、図７に示されるように、注射器具１２が、断面的にそこを通って通過できるように、形成されている。好ましくは、保持具４２が、使用後状態において容器１０内に注射器具１２を保持するために第二開口３６にもっとも近くで設けられる。当業者によって理解されるように、保持具４２は、種々の形状をとり得る。非限定的な実施例によれば、保持具４２は、容器１０内への注射器具１２の十分な挿入で、注射器具１２の一部分に対して係合するフラップであり得る。保持具４２は、第二開口３６への注射器具１２の挿入による曲げに対して弾力性であり得る。好ましくは、注射用針１４は、保持具４２と係合しないように、第二開口３６を通して挿入される。図７に示されるように、第二開口３６を通した注射器具１２の充分な挿入で、保持具４２は、注射器具１２に備えられた、例えば、ヒンジなどの要素４４に対して干渉的に作用し、その結果、注射器具１２の後退する動きを妨げる。注射器具１２が引き出されないことを確実にするために、注射器具１２に、リアワードタグ（rearward tug）が適用され得る。保持具４２は、要素４４とスナップ係合し、注射器具１２が、保持具４２によって係合されたという可聴表示を提供する。注射用針１４の先導で、第二開口３６を通して挿入された注射器具１２と共に、注射用針１４は、容器１０内に収容される。保持具４２は、注射器具１２の引き出しを妨げ、したがって、使用後状態にある注射用針１４へのアクセスを制限する。さらに、本体１６に錠止された蓋２２で、容器１０は、注射用針１４への更なるアクセスを制限する。
【００１３】
図８に示されるように、容器１０は、その中に使用後状態で収容された注射器具１２と共に、針刺し損傷防止用コンテナ４８内に廃棄される。生体有害物質の廃棄の他の適切な態様は、容器１０および使用後の状態の注射器具１２の廃棄に利用されたのと同様である。
【００１４】
容器１０は、使用された状態の注射器具１２を全体的に収容するように形成され得、または、図７および図８に示されるように、注射器具１２、特に、注射用針１４を備えた注射器具１２の一部分を、部分的に収容するように形成され得る。
【００１５】
図７に示されるように、パッド４６が、貯蔵された、使用後の状態で、その中に挿入された、注射用針１４を有するように位置づけられて、容器１０内に備えられ得る。パッド４６は、注射用針１４によって貫通される弾性材または他の材料から形成される。パッド４６は、容器１０内に注射器具１２を維持するための付加的な保持力を提供できる。
【００１６】
さらに好ましい配置において、注射用針１４は、使用前、注射器具１２から分離されて、容器１０内に備えられる。第三の開口５０が本体１６に備えられ、その中に、注射用針１４が保持され、アクセス可能とされる。注射用針１４は、本体１６に固定されたキャップ５２によって保持される。使用前に、第三の開口５０を横切って、除去可能なシール５４が適用される。図４に示されるように、注射器具１２が容器１０から取り外された状態で、注射器具１２は、注射用針１４を装着するために第三の開口５０に挿入される。注射用針１４は、例えば、ねじ装置などのような、公知の装置を用いて注射器具１２に装着される。どんな装着装置も利用され得る。
【００１７】
キャップ５２および除去可能なシール５４は、包装された状態において、注射用針１４の周囲に殺菌バリアを生成するように形成される。この方法において、注射用針１４は、使用まで維持される注射用針１４の殺菌性を備えて、容器１０内で殺菌され、包装される。注射器具１２は、使用のために殺菌される必要はない。
【００１８】
注射用針１４のための付加的な保護を提供するために、貯蔵中、注射用針１４の周りのキャップ５２によって保持される、除去可能な針シールド５６が備えられる。針シールド５６は、注射用針１４と共に、注射器具１２に装着される。除去を容易にするために、本体１６は、好ましくは、図５に示されるように、第四の開口５８を含む。第四の開口５８は、第一直径部分６０、および、第一直径部分６０より小さい第二直径部分６２を含む。第四の開口５８は、針シールド５６が、第一直径部分６０に挿入され、第四の開口５８によって捉えられるよう、第二直径部分６２に押し込まれるように形成されている。図６に示されるように、注射器具１２を引き抜くことで、針シールド５６は、第四の開口５８によって保持される。使用済みの針シールド５６は、その後に、廃棄のために容器１０内にとどまる（図７）。
【００１９】
図２を参照すると、第二の開口３６に、除去可能なシールがまた備えられることが好ましい。より好ましくは、除去可能なシール５４が、第二の開口３６および第三の開口５０の双方を覆うことが好ましい。プルタブ６４は、それの除去を容易にするために、除去可能なシール５４に備えられる。
【００２０】
容器１０は、注射部位を準備するために用い得る、ベタダインおよび／またはアルコール綿であり得る、消毒綿６６のような付加的な部材を収容し得る。好ましくは、消毒綿６６は、第二の開口３６に近接して配置される。保持具４２は、容器１０内に消毒綿６６を保持し、その個別の除去を容易にするために機能する。図７に示されるように、使用済みの消毒綿６８は、そこへ挿入される注射器具１２に先立って、第二の開口３６、および／または、第四の開口を通して容器１０内に挿入される。使用済みの消毒綿６８は、したがって、容器１０と共に廃棄される。
【図１】
0005457457.tif 000002
【図２】
0005457457.tif 000003
【図３】
0005457457.tif 000004
【図４】
0005457457.tif 000005
【図５】
0005457457.tif 000006
【図６】
0005457457.tif 000007
【図７】
0005457457.tif 000008
【図８】
0005457457.tif 000009